(57)【要約】【課題】装着性が良好で小型化が可能でありながら、タッチノイズを効果的に減少させることができるイヤホン装置を提供する。【解決手段】本体部と、前記本体部を耳甲介に保持するための保持部材と、前記本体部に接続されたケーブルと、を備え、前記保持部材は、前記本体部に固着される固着部と、対耳輪に沿う接触部と、から構成され、前記ケーブルの一部は前記保持部材の内部を通って、前記本体部に至ることを特徴とするイヤホン装置。【選択図】図１
2014041604.tif 000002
【特許請求の範囲】
【請求項１】
本体部と、
前記本体部を耳甲介に保持するための保持部材と、
前記本体部に接続されたケーブルと、
を備え、
前記保持部材は、
前記本体部に固着される固着部と、
対耳輪に沿う接触部と、
から構成され、
前記ケーブルの一部は前記保持部材の内部を通って、前記本体部に至ることを特徴とするイヤホン装置。
【請求項２】
前記保持部材は、
前記ケーブルが前記保持部材の外部から内部に導入される第１の開口部と、
を備え、
該第１の開口部には前記ケーブルが下方から導入されることを特徴とする請求項１のイヤホン装置。
【請求項３】
前記保持部材は、
前記ケーブルが前記保持部材の内部から外部に導出される第２の開口部と、
を備え、
前記第２の開口部は前記固着部に含まれることを特徴とする請求項２のイヤホン装置。
【請求項４】
前記本体部は略円筒状の筒状部を備え、
前記接触部の一部は該本体部の円弧と同心円をなすことを特徴とする請求項２のイヤホン装置。
【請求項５】
前記本体部は、
音を外耳道に導くための音導部を備え、
該音導部の中心を通る直線は、
前記接触部を弧とする扇形を通る
ことを特徴とする請求項２のイヤホン装置。
【請求項６】
前記筒状部に音声再生装置が備えられていることを特徴とする請求項４のイヤホン装置。
【請求項７】
前記ケーブルは、
本体部から引き出されて、
対耳輪に沿って引き回され、
対耳珠から耳垂を通ることを特徴とする請求項２のイヤホン装置。
【請求項８】
前記保持部材は弾性部材であることを特徴とする請求項２のイヤホン装置。
【請求項９】
前記保持部材は、前記本体部から離間し、前記接触部から延設され前記ケーブルを導く誘導部を有することを特徴とする請求項２のイヤホン装置。
【請求項１０】
前記保持部材は、前記本体部から離間し、前記接触部から前記誘導部とは反対方向に延設された延設部を有することを特徴とする請求項９のイヤホン装置。
【請求項１１】
前記保持部材が、前記本体部に着脱可能に設けられていることを特徴とする請求項２に記載のイヤホン装置。
【請求項１２】
前記第１の開口部の近傍に、前記ケーブルを着脱自在とするコネクタが設けられていることを特徴とする請求項２に記載のイヤホン装置。
【発明の詳細な説明】
【技術分野】
【０００１】
本発明は、音の再生装置から出力される電気信号を音声に変換して外耳道内へ放射するイヤホン装置に関する。【０００２】
このようなイヤホン装置の一例としては、音導部が外耳道内に挿入され、この音導部に接続された本体部がケーブルを介して再生機器と接続し、再生装置から出力される電気信号を音声に変換して前記外耳道内へ放射するイヤホン装置に関する。【０００３】
また、別のイヤホン装置の例としては、音声再生装置を含む本体部の一部が外耳道内に挿入され、該本体部がケーブルを介して再生機器と接続し、再生装置から出力される電気信号を音声に変換して前記外耳道内へ放射するイヤホン装置に関する。
【背景技術】
【０００４】
イヤホン装置は、使用時に外耳道内に挿入される音導部と、前記音導部に接続され、使用時に耳甲介に保持され外耳道外に位置し、かつ、再生装置に接続されるケーブルが接続されている本体部と、を有する。【０００５】
また、別のイヤホン装置は、使用時に外耳道内に挿入されかつ耳甲介に保持され外耳道外に位置し、かつ、再生装置に接続されるケーブルが接続されている本体部と、を有する。【０００６】
このようなイヤホン装置において、ケーブルが衣服や鞄などと接触したときに生じた振動は、ケーブルからイヤホン装置に伝播し、音導部の周囲のイヤチップで密閉された外耳道内空間に圧力変動を発生させることがある。【０００７】
この圧力変動は、タッチノイズと呼ばれ、イヤホン装置の使用者にとって不快であるのみならず、音声の聴き取りの妨げとなる。【０００８】
このようなタッチノイズを軽減させる方法として、引用文献１では、図５に示すイヤホン装置Ａが提案されている。このイヤホン装置Ａでは、弾性体で形成され湾曲状に延在し下方に貫通するケーブル用貫通孔１３ａを有する、ゴム部材等の弾性体からなる部材１３を、イヤホン装置使用時に外耳道内に挿入されるイヤチップ１１を備えたハウジング１０に連結し、ケーブル１２を上記ケーブル用貫通孔１３ａ内に配線してハウジング１０内の音声再生素子１４に接続させることにより、ケーブル１２を伝播してくる振動を部材１３の弾性体により減衰させると云う技術が提案されている。【０００９】
しかしながら、イヤホン装置には、質量が非常に軽いことが求められ、さらに、ケーブルの耐引き抜き強度が高いことが求められている。このため、上記従来技術において、ゴム部材等の弾性体からなる部材１３は、ある程度、硬い材料から構成する必要があるとともに、十分な振動減衰効果が得られない、小さいものとせざるを得ない。【００１０】
このため、ケーブルから振動を受けた場合に部材１３が弾性変形する量よりもイヤホン装置自体の振幅量の方が大きくなり、タッチノイズ減衰の効果が、ほとんど得られない場合がある。このように、従来のイヤホンではタッチノイズを効果的に減少させることは困難であった。【００１１】
ここで、特にジョギング中などの、タッチノイズ発生が多い状況では、スポーツタイプのイヤホン装置として耳掛け型イヤホン装置が用いられてきた。図６（ａ）及び図６（ｂ）にはこのような耳掛け型イヤホン装置の例Ｂ及びＣをそれぞれ示す。【００１２】
耳掛け型イヤホン装置Ｂでは、イヤホン装置本体部１１に比較的長い耳掛け部１２を介してケーブル１３が接続されている。これに対して耳掛け型イヤホン装置Ｃでは、イヤホン装置本体部２１に比較的短いコードブシュ２２を介してケーブル２３を接続している。これら２つのイヤホン装置では、耳掛け部やケーブルを耳輪４０に比較的長い距離で接触させている。このため、ケーブルにタッチノイズが発生した場合も、比較的軟質な耳輪４０をいわば、タッチノイズ減衰部材として利用してタッチノイズ減衰効果を得ている。【００１３】
しかしながら、このような耳掛け型イヤホン装置では、装着性は低く、かつ、大型化し、収納時の取り扱い性が低い。
【先行技術文献】
【特許文献】
【００１４】
【特許文献１】特開２０１１−７７７６３号公報
【発明の概要】
【発明が解決しようとする課題】
【００１５】
本発明は、上記した従来の問題点を改善する、すなわち、装着性が良好で小型化が可能でありながら、タッチノイズを効果的に減少させることができるイヤホン装置を提供することを目的とする。
【課題を解決するための手段】
【００１６】
本発明のイヤホン装置は、上記課題を解決するため、請求項１に記載の通り、
本体部と、
前記本体部を耳甲介に保持するための保持部材と、
前記本体部に接続されたケーブルと、
を備え、
前記保持部材は、
前記本体部に固着される固着部と、
対耳輪に沿う接触部と、
から構成され、
前記ケーブルの一部は前記保持部材の内部を通って、前記本体部に至ることを特徴とする。
【図面の簡単な説明】
【００１７】
【図１】図１（ａ）〜図１（ｃ）は、本発明に係るイヤホン装置の例１を示すモデル図である。図１（ｄ）は本発明に係るイヤホン装置の他の例１’を示すモデル図である。
【図２】図２は耳の各部位について説明するモデル図である。
【図３】図３は、イヤホン装置１によるタッチノイズ減少効果を示すグラフである。
【図４】図４は、本発明に係るイヤホン装置の他の例１”を示すモデル図である。
【図５】図５は従来技術に係るイヤホン装置の例Ａを示すモデル断面図である。
【図６】図６（ａ）は従来技術に係るイヤホン装置の例Ｂを、図６（ｂ）は従来技術に係るイヤホン装置の例Ｃを、それぞれ示すモデル図である。
【発明を実施するための形態】
【００１８】
本発明の一実施形態にかかるイヤホン装置について説明する。本発明の一実施形態にかかるイヤホン装置は、使用時に耳甲介に保持され外耳道外に位置する本体部と、前記本体部を耳甲介に保持するための保持部材と、前記本体部に接続されたケーブルと、を備え、前記保持部材は、前記本体部に固着される固着部と、対耳輪に沿う接触部と、から構成され、前記ケーブルの一部は前記保持部材の内部を通って、前記本体部に至っている。
【００１９】
さらに詳細には、使用時に外耳道内に挿入される音導部、前記音導部に接続され使用時に前記外耳道外に位置する本体部、及び、前記本体部に接続されかつ音声再生機器に接続されるケーブルを有するイヤホン装置において、前記本体部を耳甲介に保持するための保持部材、使用時に対耳輪に沿う接触部と前記本体部に固着される固着部とを含み、前記ケーブルの一部は前記保持部材の内部を通って、前記本体部に至っている。
【００２０】
この構成により、ケーブルに衣服や鞄などが接触して振動が発生した場合であっても、ケーブルを伝播する振動が、保持部材に吸収されて抑制されるとともに、残った振動は対耳輪や耳甲介の面に伝播されてさらに軽減されるので、本体部に伝播する振動は減少し、その結果、タッチノイズの発生が軽減される。
【００２１】
また、前記保持部材が、使用時に対耳輪に接するように前記本体部から突出して設けられた接触部と、前記本体部から離間し、対耳輪に接しかつ沿って、前記接触部から下方へ向かって延設された、前記ケーブルを下方に向かって導く誘導部と、から構成されていると、誘導部によって、より高い振動減衰効果が得られる。
【００２２】
また、前記保持部材が、さらに、前記本体部から離間し、前記対耳輪に接しかつ沿って、前記接触部から上方に向かって延設された延設部を有していると、保持部材の対耳輪との接触がより安定したものとなり、より高いケーブル抜け防止向上効果と、より高い振動減衰効果が得られる。
【００２３】
また、前記保持部材が、前記本体部に着脱可能に設けられている構成、あるいは、前記ケーブルの前記保持部材から露出する部位付近に、前記ケーブルを着脱自在とするコネクタが設けられている構成により、収納が容易になり、また、色の異なるケーブル、あるいは、色の異なる本体部と交換することにより、カラーバリエーションを豊富にすることができる。
【実施例】
【００２４】
本発明の実施例にかかるイヤホン装置１を、図１（ａ）〜図１（ｃ）を参照して説明する。【００２５】
イヤホン装置１は、使用時に外耳道４１（図２（耳の各部位について説明するモデル図）参照。以下同じ）内に挿入される音導部８、該音導部８の周囲の天然ゴム、合成ゴムや軟質樹脂などの弾性材料から構成されたイヤチップ３、音導部８に接続され、使用時に外耳道外に位置する本体部２、及び、前記本体部に接続されかつ音声再生機器に接続されるケーブル５を有するイヤホン装置である。【００２６】
本体部２には、弾性部材から構成された保持部材４が、使用時に対耳輪４５（図２参照。以下同じ）に接するように固着部７を介して前記本体部２から突出して設けられている。保持部材４は、この例では合成ゴムから構成されている。【００２７】
保持部材４は、使用時に対耳輪４５に接するように本体部２から突出して設けられた接触部４ａと、本体部２から離間し、下方へ向かって延設された、前記ケーブル５を下方に向かって導くケーブル誘導部４ｂと、から構成されている。なお、図１（ｂ）に記載されているように、この発明では、イヤホン装置を、イヤホン装置から音が放射される方向が水平になるように保持した場合に重力が作用する方向を下方と定義する。また、接触部４ａは略円弧形状である対耳輪４５と接触する略円弧形状の部分である。【００２８】
ケーブル５は、第１の開口部４ｅにおいて外部から前記保持部材４の内部に導入され、
第２の開口部４ｆにおいて前記保持部材４の内部から外部に導出される。第１の開口部４ｅには前記ケーブルが下方から導入される。前記第１の開口部４ｅと前記第２の開口部４ｆの間をつなぐ貫通孔４ｄを通じ、かつ、貫通孔４ｄの内壁の少なくとも一部に接して（この例では貫通孔４ｄの内径とケーブル５の外径とは等しい）、本体部２内部もしくは音導部８に設置された図示しない音声再生装置に電気的に接続されている。ケーブル５の外径と貫通孔４ｄとが等しいためにケーブル５の高い抜け止め効果が得られるとともに、貫通孔４ｄの内壁の少なくとも一部に接している構成により、ケーブル５を伝播する振動は、まず、弾性部材からなる誘導部４ｂに伝わって吸収されて減衰され、次いで、対耳輪４５へ伝播して、さらに吸収され減衰される。このようにケーブル５を伝播する振動は本体部２に達するまでに大きく減衰される。【００２９】
さらにこのイヤホン装置１では、本体部２から離間し、対耳輪４５に接しかつ沿って、接触部４ａから上方に向かって延設された延設部４ｃを有している。【００３０】
この延設部４ｃにより、対耳輪４５への接触面が大きくなり、イヤホン装置１の装着安定性が向上することともに、タッチノイズ減少効果がより高いものとなる。【００３１】
ここで、特許文献１に示される従来のイヤホン装置では、イヤチップ３によってのみ耳部に保持されていたのに対して、本発明に係るイヤホン装置１では、イヤチップ３によってのみならず、本体部２から突出して設けられた保持部材４により対耳輪４５に接して保持されるために、イヤホン装置が耳部から外れにくくなり、本体部２を確実に耳甲介４６に保持する。また、ケーブル５が、耳珠４３（図２参照。以下同じ）と対耳珠４２（図２参照。以下同じ）と間の空間を通じて耳垂４４（図２参照。以下同じ）から下方に誘導され、本体部２は耳珠４３と、保持部材４を介して対耳輪４５により保持されているため、ケーブル５が下方に引っ張られたときであっても、イヤホン装置１のイヤチップ３が外耳道４１から抜け出ることが防止されている。【００３２】
さらに好ましくは、図１（ｄ）に示されたように、本体部２は音を外耳道に導くための音導部８を備え、該音導部８の中心を通り、音導部８を通過する音の進行方向に平行な直線は、接触部４がその弧とする扇形（図１中破線で示された扇形）内を通ることを特徴とする。イヤホン装置をこのように構成することで、略円弧形状の対耳輪４５と接触部４が接触する面積が大きくなり、イヤホン装置をさらに確実に耳甲介４６（図２参照。以下同じ）に保持することができる。なお、図１（ｄ）に示されているのは本発明の別の実施例にかかるイヤホン１’であり、第１の開口部４ｅから保持部材４内部の貫通孔４ｄ内部に導入されたケーブル５は、この例では固着部７内部を通過せずに、延設部４ｃに設けられた第２の開口部４ｆから一旦、外部に出た後、本体部２に導入されている。この例１’では上記例１に比べてより長くケーブル５が弾性材料からなる保持部材４および延設部４ｃにより保持されているために、タッチノイズ減少効果がより高いものとなる。【００３３】
ここで、人間の耳付近をモデル化して作成した疑似耳を用い、この疑似耳にイヤホン装置１を装着して、ケーブルに振動を与えたときのタッチノイズ発生状況についてシュミレーションを行った（凡例：接触あり）。対耳輪４５に接触しない保持部材を有する、従来タイプのイヤホン装置での結果（凡例：接触なし）とともに、図３に示した。図３より、本発明に係るイヤホン装置では従来のイヤホン装置に比してタッチノイズが大きく軽減されていることが判る。【００３４】
なお、上記の構成に加えて、コネクタ部を設けることで、保持部材４が、本体部２に着脱可能に設けられていてもよく、保持部材４を本体２に着脱可能としてもよく、また、保持部材４の誘導部４ｂからの第１の開口部４ｅで、誘導部４ｂとケーブル４とを着脱可能としてもよく、これらにより収納性が向上し、また、他の色のケーブルや本体と交換することにより色の組み合わせを変えることができる。【００３５】
図４に、本発明に係るイヤホン装置の他の例１”を示すモデル的に示す。【００３６】
このイヤホン１”は、使用時に本体2の音放射側の縁部２ａが外耳道３１の開口部周囲に当接して、密閉された外耳道内空間を形成する形式のイヤホンである。【００３７】
このイヤホン１”にも、イヤホン１同様に保持部材４が備えられている。イヤホン１”の保持部材４の構成及び作用効果はイヤホン１の保持部材４と同じであるので省略する。【００３８】
（付記）
本体部２と、
前記本体部を耳甲介に保持するための保持部材４と、
前記本体部に接続されたケーブル５と、
を備え、
前記保持部材４は、
前記本体部に固着される固着部７と、
対耳輪に沿う接触部４ａと、
から構成され、
前記ケーブル５の一部は前記保持部材４の内部を通って、前記本体部２に至ることを特徴とするイヤホン装置１。【００３９】
イヤホン装置１によれば、ケーブル５が弾性部材から構成された保持部材４に設けられた貫通孔４ｄの内壁の少なくとも一部に接触することにより、ケーブル５を伝播してきた振動は、ケーブル５に接する保持部材を構成する弾性部材により減衰される。さらに、残存した振動は、使用時に対耳輪４５に接する弾性部材から構成された保持部材４により対耳輪４５へ伝播されて、さらに減衰される。これらに加えて、使用時に対耳輪４５に接する保持部材４により本体部２の振動が抑制されているので、最終的にタッチノイズの発生は大幅に減少する。【００４０】
また、本体部２は耳珠４３と、保持部材４を介して対耳輪４５により保持されているため、ケーブル５が下方に引っ張られたときであっても、イヤホン装置１の音導部が外耳道４１から抜け出ることが防止されている。そして、本体部２は確実に耳甲介４６に保持される。
【符号の説明】
【００４１】
１    本発明に係るイヤホン装置の例
２    本体部
３    イヤチップ
４    保持部材
４ａ  接触部
４ｂ  誘導部
４ｃ  延設部
４ｄ  貫通孔
４ｅ  第１の開口部
４ｆ  第２の開口部
５    ケーブル
４１  外耳道
４２  耳珠
４３  対耳珠
４４  耳垂
４５  対耳輪
４６  耳甲介
７  固着部
８  音導部
【図１】
2014041604.tif 000003
【図２】
2014041604.tif 000004
【図３】
2014041604.tif 000005
【図４】
2014041604.tif 000006
【図５】
2014041604.tif 000007
【図６】
2014041604.tif 000008
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
本体部と、
前記本体部を耳甲介に保持するための保持部材と、
前記本体部に接続されたケーブルと、
を備え、
前記保持部材は、
前記本体部に固着される固着部と、
対耳輪に沿う接触部と、
から構成され、
前記ケーブルの一部は前記保持部材の内部を通って、前記本体部に至ることを特徴とするイヤホン装置。
【請求項２】
前記保持部材は、
前記ケーブルが前記保持部材の外部から内部に導入される第１の開口部と、
を備え、
該第１の開口部には前記ケーブルが下方から導入されることを特徴とする請求項１に記載のイヤホン装置。
【請求項３】
前記保持部材は、
前記ケーブルが前記保持部材の内部から外部に導出される第２の開口部と、
を備え、
前記第２の開口部は前記固着部に含まれることを特徴とする請求項１または請求項２に記載のイヤホン装置。
【請求項４】
前記本体部は略円筒状の筒状部を備え、
前記接触部の一部は該本体部の円弧と同心円をなすことを特徴とする請求項１ないし請求項３のいずれか１項に記載のイヤホン装置。
【請求項５】
前記本体部は、
音を外耳道に導くための音導部を備え、
該音導部の中心を通る直線は、
前記接触部を弧とする扇形を通る
ことを特徴とする請求項１ないし請求項４のいずれか１項に記載のイヤホン装置。
【請求項６】
前記筒状部に音声再生装置が備えられていることを特徴とする請求項４または請求項５に記載のイヤホン装置。
【請求項７】
前記ケーブルは、
前記本体部から引き出されて、
対耳輪に沿って引き回され、
対耳珠から耳垂を通ることを特徴とする請求項１ないし請求項６のいずれか１項に記載のイヤホン装置。
【請求項８】
前記保持部材は弾性部材であることを特徴とする請求項２のイヤホン装置。
【請求項９】
前記保持部材は、前記本体部から離間し、前記接触部から延設され前記ケーブルを導く誘導部を有することを特徴とする請求項１ないし請求項７のいずれか１項に記載のイヤホン装置。
【請求項１０】
前記保持部材は、前記本体部から離間し、前記接触部から前記誘導部とは反対方向に延設された延設部を有することを特徴とする請求項１ないし請求項９のいずれか１項に記載のイヤホン装置。
【請求項１１】
前記保持部材が、前記本体部に着脱可能に設けられていることを特徴とする請求項１ないし請求項１０のいずれか１項に記載のイヤホン装置。
【請求項１２】
前記第１の開口部の近傍に、前記ケーブルを着脱自在とするコネクタが設けられていることを特徴とする請求項１ないし請求項１１のいずれか１項に記載のイヤホン装置。
【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
本体部と、
前記本体部を耳甲介に保持するための保持部材と、
前記本体部に接続されたケーブルと、を備え、
前記保持部材は、
前記本体部に固着される固着部と、
対耳輪に沿う接触部と、から構成され、
前記ケーブルの一部は前記接触部の内部を通って、前記本体部に至ることを特徴とするイヤホン装置。
【請求項２】
前記保持部材は、
前記ケーブルが前記保持部材の外部から内部に導入される第１の開口部を備え、
該第１の開口部には前記ケーブルが下方から導入されていることを特徴とする請求項１に記載のイヤホン装置。
【請求項３】
前記第１の開口部の近傍に、前記ケーブルを着脱自在とするコネクタが設けられていることを特徴とする請求項２記載のイヤホン装置。
【請求項４】
前記保持部材は、
前記ケーブルが前記保持部材の内部から外部に導出される第２の開口部を備え、
前記第２の開口部は前記固着部に含まれることを特徴とする請求項１ないし請求項３のいずれか１項に記載のイヤホン装置。
【請求項５】
前記本体部は、
音を外耳道に導くための音導部を備え、
該音導部の中心を通る直線は、
前記接触部を弧とする扇形を通ることを特徴とする請求項１ないし請求項４のいずれか１項に記載のイヤホン装置。
【請求項６】
前記本体部は略円筒状の筒状部を備え、
前記接触部の一部は該本体部の円弧と同心円をなすことを特徴とする請求項１ないし請求項５のいずれか１項に記載のイヤホン装置。
【請求項７】
前記筒状部に音声再生装置が備えられていることを特徴とする請求項６に記載のイヤホン装置。
【請求項８】
前記ケーブルは、
前記本体部から引き出されて、
対耳輪に沿って引き回され、
対耳珠から耳垂を通ることを特徴とする請求項１ないし請求項７のいずれか１項に記載のイヤホン装置。
【請求項９】
前記保持部材は弾性部材であることを特徴とする請求項２のイヤホン装置。
【請求項１０】
前記保持部材は、前記本体部から離間し、前記接触部から延設され前記ケーブルを導く誘導部を有することを特徴とする請求項１ないし請求項９のいずれか１項に記載のイヤホン装置。
【請求項１１】
前記保持部材は、前記本体部から離間し、前記接触部から前記誘導部とは反対方向に延設された延設部を有することを特徴とする請求項１０に記載のイヤホン装置。
【請求項１２】
前記保持部材が、前記本体部に着脱可能に設けられていることを特徴とする請求項１ないし請求項１１のいずれか１項に記載のイヤホン。
【手続補正２】
【補正対象書類名】明細書
【補正対象項目名】００１６
【補正方法】変更
【補正の内容】
【００１６】
本発明のイヤホン装置は、上記課題を解決するため、以下の構成を備える。
本体部と、前記本体部を耳甲介に保持するための保持部材と、前記本体部に接続されたケーブルと、を備え、前記保持部材は、前記本体部に固着される固着部と、対耳輪に沿う接触部と、から構成され、前記ケーブルの一部は前記接触部の内部を通って、前記本体部に至ることを特徴とする。
【国際調査報告】
2014041604.tif 000009
2014041604.tif 000010
2014041604.tif 000011
2014041604.tif 000012